(57)【要約】【課題】折り曲げたとしても元の状態へ復元しやすくする近視抑制コンタクトレンズおよびその関連技術を提供する。【解決手段】近視を矯正する近視矯正度数が設定された中央領域と、中央領域の周辺に配された領域であって、中央領域に比してプラスの度数が設定された周辺領域と、を有する近視抑制用コンタクトレンズであって、硬化されたシリコーンハイドロゲルに加え、アリルメタクリレート、メタクリルオキシエチルビニルカーボネート、トリアリルシアヌール酸塩、およびジビニル系の架橋剤のうち少なくともいずれかを含有する、近視抑制用コンタクトレンズおよびその関連技術を提供する。【選択図】図１
2019028114.tif 000002
【特許請求の範囲】
【請求項１】
近視を矯正する近視矯正度数が設定された中央領域と、
中央領域の周辺に配された領域であって、中央領域に比してプラスの度数が設定された周辺領域と、
を有する近視抑制用コンタクトレンズであって、
硬化されたシリコーンハイドロゲルに加え、アリルメタクリレート、メタクリルオキシエチルビニルカーボネート、トリアリルシアヌール酸塩、およびジビニル系の架橋剤のうち少なくともいずれかを含有する、近視抑制用コンタクトレンズ。
【請求項２】
更に、Ｎ−ビニルピロリドンおよびＮ−メチル−Ｎ−ビニルアセトアミドのうち少なくともいずれかを含有する、請求項１に記載の近視抑制用コンタクトレンズ。
【請求項３】
更に、２−ヒドロキシエチルメタクリレートを含有する、請求項１に記載の近視抑制用コンタクトレンズ。
【請求項４】
更に、２−（２’−ヒドロキシ−５−メタクリルイルオキシエチルフェニル）−２Ｈ−ベンゾトリアゾールを含有する、請求項１に記載の近視抑制用コンタクトレンズ。
【請求項５】
更に、（ビス（２，４，６−トリメチルベンゾイル）−フェニルホスフィン酸化物）または２，２’−アゾビスイソブチロニトリルを含有する、請求項１に記載の近視抑制用コンタクトレンズ。
【請求項６】
更に、ｔ−アミルアルコールを含有する、請求項１に記載の近視抑制用コンタクトレンズ。
【請求項７】
更に、Ｎ−ビニルピロリドンおよびＮ−メチル−Ｎ−ビニルアセトアミドのうち少なくともいずれか、２−ヒドロキシエチルメタクリレート、２−（２’−ヒドロキシ−５−メタクリルイルオキシエチルフェニル）−２Ｈ−ベンゾトリアゾール、（ビス（２，４，６−トリメチルベンゾイル）−フェニルホスフィン酸化物）または２，２’−アゾビスイソブチロニトリル、ならびにｔ−アミルアルコールを含有する、請求項１に記載の近視抑制用コンタクトレンズ。
【請求項８】
中央領域と周辺領域とを有する光学部と、光学部の周辺に配される周辺部と、を有し、
周辺部は第１の肉厚部および第２の肉厚部を有し、第１の肉厚部および第２の肉厚部が上眼瞼および下眼瞼のうち少なくとも上眼瞼に同時に当たるように、第１の肉厚部および第２の肉厚部が水平軸および垂直軸に関して非対称で、かつ第１の肉厚部および第２の肉厚部のそれぞれが水平軸の上方および下方に延在して形成されている、請求項１〜７のいずれかに記載の近視抑制用コンタクトレンズ。
【請求項９】
近視を矯正する近視矯正度数が設定された中央領域と、
中央領域の周辺に配された領域であって、中央領域に比してプラスの度数が設定された周辺領域と、
を有する近視抑制用コンタクトレンズの製造方法であって、
シリコーンハイドロゲルに加え、アリルメタクリレート、メタクリルオキシエチルビニルカーボネート、トリアリルシアヌール酸塩、およびジビニル系の架橋剤のうち少なくともいずれかを含有する原料を硬化させて近視抑制用コンタクトレンズを製造する、近視抑制用コンタクトレンズの製造方法。
【請求項１０】
原料は、更に、Ｎ−ビニルピロリドンおよびＮ−メチル−Ｎ−ビニルアセトアミドのうち少なくともいずれかを含有する、請求項９に記載の近視抑制用コンタクトレンズの製造方法。
【請求項１１】
原料は、更に、２−ヒドロキシエチルメタクリレートを含有する、請求項９に記載の近視抑制用コンタクトレンズの製造方法。
【請求項１２】
原料は、更に、２−（２’−ヒドロキシ−５−メタクリルイルオキシエチルフェニル）−２Ｈ−ベンゾトリアゾールを含有する、請求項９に記載の近視抑制用コンタクトレンズの製造方法。
【請求項１３】
原料は、更に、（ビス（２，４，６−トリメチルベンゾイル）−フェニルホスフィン酸化物）または２，２’−アゾビスイソブチロニトリルを含有する、請求項９に記載の近視抑制用コンタクトレンズの製造方法。
【請求項１４】
原料は、更に、ｔ−アミルアルコールを含有する、請求項９に記載の近視抑制用コンタクトレンズの製造方法。
【請求項１５】
原料は、更に、Ｎ−ビニルピロリドンおよびＮ−メチル−Ｎ−ビニルアセトアミドのうち少なくともいずれか、２−ヒドロキシエチルメタクリレート、２−（２’−ヒドロキシ−５−メタクリルイルオキシエチルフェニル）−２Ｈ−ベンゾトリアゾール、（ビス（２，４，６−トリメチルベンゾイル）−フェニルホスフィン酸化物）または２，２’−アゾビスイソブチロニトリル、ならびにｔ−アミルアルコールを含有する、請求項９〜１４のいずれかに記載の近視抑制用コンタクトレンズの製造方法。
【発明の詳細な説明】
【技術分野】
【０００１】
本発明は近視抑制用コンタクトレンズおよびその製造方法に関する。
【背景技術】
【０００２】
近年、電子機器・端末の普及に伴い、近視を患う者の数は増加傾向にある。電子機器・端末を扱う者には幼児から若者までも幅広く含まれることから、若年層の間でも近視を患う者の数は増加傾向にある。そのため、若年層の間では、近視を矯正するのはもとより、近視の進行を抑制するという要求が高まっており、これに応えようとする技術も開発されている（例えば特許文献１）。
【先行技術文献】
【特許文献】
【０００３】
【特許文献１】特許第５９２３６１４号明細書
【発明の概要】
【発明が解決しようとする課題】
【０００４】
近視抑制コンタクトレンズは若年層に対して有効である。なぜなら、特許文献１の［０００３］に示すように、幼児期における近視進行は軸性近視の進行に因るものが多く、網膜より後方の外側で焦点を結ぶ遠視性の焦点誤差がトリガーとなり、この遠視性の焦点誤差を補完するように網膜が伸展して眼軸長が伸びることで近視化とその進行が生ずると考えられているためである。そのため、該近視抑制コンタクトレンズを装用するのは若年層とりわけ幼児となる。
【０００５】
あまりにも若年の幼児だと保護者が幼児に該近視抑制コンタクトレンズの着脱を行うことになる。ただ、常に保護者がそれを行うことは不可能であり、幼児自身が該近視抑制コンタクトレンズの着脱を行う必要に迫られる。手先がまだあまり器用でない幼児自身が該近視抑制コンタクトレンズを扱うと、該近視抑制コンタクトレンズを折り曲げてしまう機会が非常に多い。該近視抑制コンタクトレンズを元の形状に戻せたとしても、折り曲げ線やしわが消えなければ（すなわち“元の状態へ復元”しなければ）、再度、該近視抑制コンタクトレンズを購入する必要がある。そうなると、保護者にとっては金銭的な負担が大きくなり、本来ならば近視を抑制可能な幼児に対し、近視抑制コンタクトレンズの購入を控えてしまい、幼児が成長した際に重い近視になってしまうことも考えられる。
【０００６】
本発明の目的は、折り曲げたとしても元の状態へ復元しやすくする近視抑制コンタクトレンズおよびその関連技術を提供することにある。
【課題を解決するための手段】
【０００７】
本発明の第１の態様は、
近視を矯正する近視矯正度数が設定された中央領域と、
中央領域の周辺に配された領域であって、中央領域に比してプラスの度数が設定された周辺領域と、
を有する近視抑制用コンタクトレンズであって、
硬化されたシリコーンハイドロゲルに加え、アリルメタクリレート、メタクリルオキシエチルビニルカーボネート、トリアリルシアヌール酸塩、およびジビニル系の架橋剤のうち少なくともいずれかを含有する、近視抑制用コンタクトレンズである。
【０００８】
本発明の第２の態様は、第１の態様において、
更に、Ｎ−ビニルピロリドンおよびＮ−メチル−Ｎ−ビニルアセトアミドのうち少なくともいずれかを含有する。
【０００９】
本発明の第３の態様は、第１の態様において、
更に、２−ヒドロキシエチルメタクリレートを含有する。
【００１０】
本発明の第４の態様は、第１の態様において、
更に、２−（２’−ヒドロキシ−５−メタクリルイルオキシエチルフェニル）−２Ｈ−ベンゾトリアゾールを含有する。
【００１１】
本発明の第５の態様は、第１の態様において、
更に、（ビス（２，４，６−トリメチルベンゾイル）−フェニルホスフィン酸化物）または２，２’−アゾビスイソブチロニトリルを含有する。
【００１２】
本発明の第６の態様は、第１の態様において、
更に、ｔ−アミルアルコールを含有する。
【００１３】
本発明の第７の態様は、第１の態様において、
更に、Ｎ−ビニルピロリドンおよびＮ−メチル−Ｎ−ビニルアセトアミドのうち少なくともいずれか、２−ヒドロキシエチルメタクリレート、２−（２’−ヒドロキシ−５−メタクリルイルオキシエチルフェニル）−２Ｈ−ベンゾトリアゾール、（ビス（２，４，６−トリメチルベンゾイル）−フェニルホスフィン酸化物）または２，２’−アゾビスイソブチロニトリル、ならびにｔ−アミルアルコールを含有する。
【００１４】
本発明の第８の態様は、第１〜第７のいずれかの態様において、
中央領域と周辺領域とを有する光学部と、光学部の周辺に配される周辺部と、を有し、
周辺部は第１の肉厚部および第２の肉厚部を有し、第１の肉厚部および第２の肉厚部が上眼瞼および下眼瞼のうち少なくとも上眼瞼に同時に当たるように、第１の肉厚部および第２の肉厚部が水平軸および垂直軸に関して非対称で、かつ第１の肉厚部および第２の肉厚部のそれぞれが水平軸の上方および下方に延在して形成されている。
【００１５】
本発明の第９の態様は、
近視を矯正する近視矯正度数が設定された中央領域と、
中央領域の周辺に配された領域であって、中央領域に比してプラスの度数が設定された周辺領域と、
を有する近視抑制用コンタクトレンズの製造方法であって、
シリコーンハイドロゲルに加え、アリルメタクリレート、メタクリルオキシエチルビニルカーボネート、トリアリルシアヌール酸塩、およびジビニル系の架橋剤のうち少なくともいずれかを含有する原料を硬化させて近視抑制用コンタクトレンズを製造する、近視抑制用コンタクトレンズの製造方法である。
【００１６】
本発明の第１０の態様は、第９の態様において、
原料は、更に、Ｎ−ビニルピロリドンおよびＮ−メチル−Ｎ−ビニルアセトアミドのうち少なくともいずれかを含有する。
【００１７】
本発明の第１１の態様は、第９の態様において、
原料は、更に、２−ヒドロキシエチルメタクリレートを含有する。
【００１８】
本発明の第１２の態様は、第９の態様において、
原料は、更に、２−（２’−ヒドロキシ−５−メタクリルイルオキシエチルフェニル）−２Ｈ−ベンゾトリアゾールを含有する。
【００１９】
本発明の第１３の態様は、第９の態様において、
原料は、更に、（ビス（２，４，６−トリメチルベンゾイル）−フェニルホスフィン酸化物）または２，２’−アゾビスイソブチロニトリルを含有する。
【００２０】
本発明の第１４の態様は、第９の態様において、
原料は、更に、ｔ−アミルアルコールを含有する。
【００２１】
本発明の第１５の態様は、第９〜第１４のいずれかの態様において、
原料は、更に、Ｎ−ビニルピロリドンおよびＮ−メチル−Ｎ−ビニルアセトアミドのうち少なくともいずれか、２−ヒドロキシエチルメタクリレート、２−（２’−ヒドロキシ−５−メタクリルイルオキシエチルフェニル）−２Ｈ−ベンゾトリアゾール、（ビス（２，４，６−トリメチルベンゾイル）−フェニルホスフィン酸化物）または２，２’−アゾビスイソブチロニトリル、ならびにｔ−アミルアルコールを含有する。
【発明の効果】
【００２２】
本発明によれば、折り曲げたとしても元の状態へ復元しやすくする近視抑制コンタクトレンズおよびその関連技術を提供できる。
【図面の簡単な説明】
【００２３】
【図１】本実施形態に係る近視抑制コンタクトレンズの厚さ分布図である。
【発明を実施するための形態】
【００２４】
以下、本発明の実施の形態について説明する。
【００２５】
まず、本実施形態は近視抑制用コンタクトレンズに係るものである。その基本構成としては特許文献１に示すように、近視を矯正する近視矯正度数が設定された中央領域と、中央領域の周辺に配された領域であって、中央領域に比してプラスの度数が設定された周辺領域と、を有するものであって、中央領域と周辺領域とを有する光学部と、光学部の周辺に配される周辺部と、を有する近視抑制用コンタクトレンズであれば特に限定は無い。
【００２６】
本実施形態において特徴的なのは、硬化されたシリコーンハイドロゲルに加え、アリルメタクリレート、メタクリルオキシエチルビニルカーボネート、トリアリルシアヌール酸塩、およびジビニル系の架橋剤（特表２０１５−５０３６３１号公報の［００６５］［００６６］、例えばジビニルベンゼン、１，４−ブタンジオールジビニルエーテル、トリエチレングリコールジビニルエーテル、ジビニルグリコール等の公知のジビニル系化合物）の少なくともいずれかを含有することである。こうすることで、近視抑制用コンタクトレンズが幼児の手により折り畳まれてしまった場合でも、折り畳み線やしわをほとんど残存させることなく、元の状態へ復元させることができる。なお、これを示す文献が特表２０１５−５０３６３１号公報であり、本実施形態に対応する原料の種類や量としては該文献の［０３０４］［表７９］の実施例番号９１〜９８、１００〜１０２、［０３１８］［表８５］の実施例番号１０４〜１０８、［０３２１］［表８８］の実施例番号１０９〜１１４、が挙げられる。
【００２７】
例えば、［０３０４］［表７９］の実施例番号９１〜９８、１００〜１０２においては、［０３０３］［表７８］に示すように、硬化されたシリコーンハイドロゲルの原料としてｍＰＤＭＳ（すなわち平均重量分子量が８００〜１０００のモノメタクリルオキシプロピル末端モノ−ｎ−ブチル末端ポリジメチルシロキサン）およびＯＨ−ｍＰＤＭＳ（米国特許第２０１００２４９３５６  Ａ１号の実施例８などで調整された、α−（２−ヒドロキシ−１−メタクリルオキシプロピル）−ω−ブチル−デカメチルペンタシロキサン、（ＭＷ  ６１２ｇ／ｍｏｌ））、Ｎ−ビニルピロリドン（ＮＶＰ）、２−ヒドロキシエチルメタクリレート（ＨＥＭＡ）、２−（２’−ヒドロキシ−５−メタクリルイルオキシエチルフェニル）−２Ｈ−ベンゾトリアゾール（Ｍｏｒｂｌｏｃｋ）、光重合開始剤としての（ビス（２，４，６−トリメチルベンゾイル）−フェニルホスフィン酸化物）（ＣＧＩ  ８１９）、ｔ−アミルアルコール（ＴＡＡ）を含有させたものを用意したうえで、［０３０４］［表７９］に示すように、アリルメタクリレート（ＡＭＡ）、メタクリルオキシエチルビニルカーボネート（ＨＥＭＡ−Ｖｃ）の少なくともいずれかも含有させている。その結果、［表８１］〜［表８３］に示すように［０３０８］［０３０９］の折り畳み試験を行った後でも決定的な線（ＤＬ）は検出されなくなる。
ちなみにＮＶＰの代わりまたは併用してＮ−メチル−Ｎ−ビニルアセトアミドを含有させてもよい。また、光重合開始剤としてのＣＧＩ  ８１９の代わりまたは併用して熱重合開始剤としての２，２’−アゾビスイソブチロニトリルを採用してもよい。なお、上記光重合開始剤や上記熱重合開始剤としては以下のものを採用してもよい。
上記熱重合開始剤の具体例としては、例えば２，２’−アゾビスイソブチロニトリル、２，２’−アゾビス（２，４−ジメチルバレロニトリル）、ベンゾイルパーオキサイド、ｔ−ブチルハイドロパーオキサイド、クメンハイドロパーオキサイド、ラウロイルパーオキサイド、ｔ−ブチルパーオキシヘキサノエート、３，５，５−トリメチルヘキサノイルパーオキサイドなどがあげられる。
上記光重合開始剤の具体例としては、例えば２，４，６−トリメチルベンゾイル−ジフェニルホスフィンオキサイド（ＴＰＯ）、ビス（２，４，６−トリメチルベンゾイル）−フェニルホスフィンオキサイドなどのホスフィンオキサイド系光重合開始剤；メチルオルソベンゾイルベンゾエート、メチルベンゾイルフォルメート、ベンゾインメチルエーテル、ベンゾインエチルエーテル、ベンゾインイソプロピルエーテル、ベンゾインイソブチルエーテル、ベンゾイン−ｎ−ブチルエーテルなどのベンゾイン系光重合開始剤；２−ヒドロキシ−２−メチル−１−フェニルプロパン−１−オン、ｐ−イソプロピル−α−ヒドロキシイソブチルフェノン、ｐ−ｔ−ブチルトリクロロアセトフェノン、２，２−ジメトキシ−２−フェニルアセトフェノン、α，α−ジクロロ−４−フェノキシアセトフェノン、Ｎ，Ｎ−テトラエチル−４，４−ジアミノベンゾフェノンなどのフェノン系光重合開始剤；１−ヒドロキシシクロヘキシルフェニルケトン；１−フェニル−１，２−プロパンジオン−２−（ｏ−エトキシカルボニル）オキシム；２−クロロチオキサンソン、２−メチルチオキサンソンなどのチオキサンソン系光重合開始剤；ジベンゾスバロン；２−エチルアンスラキノン；ベンゾフェノンアクリレート；ベンゾフェノン；ベンジルなどがあげられる。これらは単独でまたは２種以上を混合して用いることができる。
【００２８】
なお、［０３１８］［表８５］の実施例番号１０４〜１０８、［０３２１］［表８８］の実施例番号１０９〜１１４においてはアリルメタクリレート（ＡＭＡ）、メタクリルオキシエチルビニルカーボネート（ＨＥＭＡ−Ｖｃ）の代わりにトリアリルシアヌール酸塩（ＴＡＣ）を原料に含有させているが、いずれの実施例番号においても、［０３０８］［０３０９］の折り畳み試験を行った後でも決定的な線（ＤＬ）は検出されなくなる。
【００２９】
上記の構成を備える近視抑制用コンタクトレンズならば、折り曲げたとしても元の状態へ復元しやすくなる。そのため、保護者にとっての金銭的な負担を軽減することができ、ひいては、幼児が将来、重い近視になってしまうことを抑制する手当てのハードルを下げることができる。しかも上記の構成ならば、適度な湿潤性を有しているため幼児の指先に近視抑制用コンタクトレンズがくっつきやすく、指先に近視抑制用コンタクトレンズをくっつけようとする際の不慮の折り曲げを抑制することが可能となる。
【００３０】
なお、近視抑制用コンタクトレンズの形状としては公知のものであればよいが、装用者が瞬きする際に該近視抑制用コンタクトレンズが回転することになるがこの動きを抑制する（安定化させる）ような形状を採用するのが好ましい。例えば、図１に示すように、周辺部は第１の肉厚部および第２の肉厚部を有し、第１の肉厚部および第２の肉厚部が上眼瞼および下眼瞼のうち少なくとも上眼瞼に同時に当たるように、第１の肉厚部および第２の肉厚部が水平軸Ｘ（レンズの幾何中心Ｏを通過する軸であって装用者が装用する際のレンズにおける水平方向）および垂直軸Ｙ（レンズの幾何中心Ｏを通過する軸であって装用者が装用する際のレンズにおける天地方向）に関して非対称で、かつ第１の肉厚部および第２の肉厚部のそれぞれが水平軸の上方および下方に延在（水平軸を跨いで延在）して形成されるような構成を採用するのが好ましい。なお、図１での第１の肉厚部および第２の肉厚部での等高線は、各肉厚部の中心の等高線が０．３５ｍｍであり、その周辺に向かうに従って０．３０ｍｍ、０．２５ｍｍ、０．２０ｍｍを表す。
【００３１】
本実施形態の最大の特徴は、近視抑制コンタクトレンズにおいて、硬化されたシリコーンハイドロゲルに加え、アリルメタクリレート、メタクリルオキシエチルビニルカーボネート、トリアリルシアヌール酸塩、およびジビニル系の架橋剤のうち少なくともいずれかを含有させ、幼児が近視抑制コンタクトレンズを折り畳んだとしても元の状態へ復元しやすくすることにあることは先に述べたとおりである。その上で、上記の非対称の肉厚部を採用することにより、装用者（幼児）の眼において過度の回転運動を抑制することが可能となり、近視抑制コンタクトレンズが幼児の眼と安定して接触する状態を維持することが可能となり、ひいては近視抑制コンタクトレンズが眼から落下する機会を減少させることが可能となる。これは、幼児が近視抑制コンタクトレンズに触れる機会を減らすことに寄与し、すなわち近視抑制コンタクトレンズを誤って折り畳んでしまう可能性を減らすことに寄与する。つまり、本実施形態においては、幼児が近視抑制コンタクトレンズを誤って折り畳んでしまった後の対処に加え、そもそも幼児が近視抑制コンタクトレンズを誤って折り畳まないような事前的な対処をも可能とする。
【００３２】
ちなみに周辺部は、光学部を包囲する円環状の部分であってレンズにおける非光学部分である。周辺部は、幾何学的な中心に対するレンズの縁部、又はレンズの最外部を除外する。通常、レンズの縁部は０．０２ｍｍ〜０．２ｍｍの幅を有する。
【００３３】
なお、本明細書における肉厚部とは、周辺部の他の領域と比較して周辺部が厚い、周辺部内の領域である。レンズの任意の点の厚みは、レンズの前面つまり対物側の表面と、レンズの裏面つまり眼の側となる表面との間の、裏面に対して直交する方向に沿った距離として測定される。
【００３４】
また、“第１の肉厚部および第２の肉厚部が水平軸および垂直軸に関して非対称”とは、レンズにおける肉厚の等高線が、レンズの水平軸、つまり０〜１８０度軸、及び垂直軸、つまり９０〜２７０軸に関して対称でないことである。
【符号の説明】
【００３５】
１………コンタクトレンズ
Ｘ………水平軸
Ｙ………垂直軸
Ｏ………幾何中心
【図１】
2019028114.tif 000003